(57)【要約】【課題】融雪用ヒータを用いることなく、カメラケースの積雪を回避できるカメラケース装置を提供する。【解決手段】カメラＣを取付ける収容台２をベアリング１０の内輪１１に取付け、収容台２を取付板５により、支持台６に固定する。そして、カメラケース１の外板３をベアリング１の外輪１２に取付けて円周方向に自由に回転させることによって、外板３に積雪があっても雪の自重により積雪が落ちる構造とする。【選択図】  図１
2004297474.tif 000002
【特許請求の範囲】
【請求項１】
ベアリングと、
前記ベアリングの内輪を貫通し、上面にカメラが取り付けられる収容台と、
前記収容台の両端部が固定される支持台と、
前記ベアリングの外輪に固着され、前記カメラが取り付けられた収容台を内部に収容し、前記ベアリングの内輪を固定軸として回転可能な外板と
を具備することを特徴とするカメラケース装置。
【請求項２】
前記外板は、円筒状の横向きの形状をなしていることを特徴とする請求項１記載のカメラケース装置。
【請求項３】
前記ベアリングを少なくとも２つ用い、その外輪に前記外板の前端部と後端部が固着されていることを特徴とする請求項１記載のカメラケース装置。
【請求項４】
前記外板は、前記ベアリングの前記外輪と一体の構造体であることを特徴とする請求項１記載のカメラケース装置。
【請求項５】
前記収容台は、前記ベアリングの前記内輪と一体の構造体であることを特徴とする請求項１記載のカメラケース装置。
【発明の詳細な説明】
【０００１】
【発明の属する技術分野】
本発明は、監視カメラなどを収容するカメラケース装置に関する。
【０００２】
【従来の技術】
ＩＴＶカメラ等を使用した屋外のカメラシステムは、カメラ装置を日射、降雨、風雪等から保護するため、カメラケースに収容されている。特に、降雪によってカメラケースおよびその周辺に積雪があると、カメラ架台への荷重、カメラ視野の遮蔽、およびカメラ装置の動作温度の低下などを防ぐために、カメラケースの積雪を避ける幾つかの方法が採られている。
【０００３】
例えば、箱状のカメラケースの天板部に傾斜を付けた屋根状にしたり、また、積雪を溶かすための融雪ヒータをカメラケースに取り付けたりしている。この融雪ヒータを、降雪時だけに動作させるようにするため、降雪を検知してヒータを動作させるようにした例がある（例えば、特許文献１参照。）。
【０００４】
図５は、上記特許文献１の融雪ヒータによる積雪対策を施したカメラケースの構成の説明図である。このカメラシステムが、テレビカメラ用のもので有れば、図５に示される構成要素の他に映像信号のモニタ装置（図示せず）、およびリモートコントロール等の制御装置（図示せず）が構成に含まれる。
【０００５】
図５に示すカメラシステムでは、カメラケース１ｓに屋外監視用のカメラを格納し、受雪板感知器２ｓで水分と水分の温度とを検出し、このデータを基に降雪判定部４ｓで降雪を判定する。そして、降雪と判定すると、リレー駆動部５ｓを介しリレー回路のリレーコイル６ｓに電流を流し、スイッチ７ｓをオンさせ、電源８ｓからの電流をカメラケース１ｓ内のヒータ３ｓに供給し、カメラケース１ｓの天部を暖め、天部に付着した雪を溶かす構造となっている。
【０００６】
【特許文献１】
公開特許公報  特開２０００−１３６５６号（第３頁、第１図）
【０００７】
【発明が解決しようとする課題】
上記特許文献１の従来のカメラシステムでは、ヒータが用いられているために、カメラケースにヒータ用の電源配線を必要とする構成となっている。このため、消費電力の増加、カメラケースの大型化、火災への配慮や、メンテナンスの負担増等の種々の問題があった。加えて、降雪を誤ることなく検知し、正しく降雪と判断することが困難であり、降雨を降雪と誤判断する等の問題があった。
【０００８】
本発明は、上記問題点を解決するためになされたもので、融雪用ヒータを用いることなく、カメラケースに積雪することを回避したカメラケース装置を提供することを目的とする。
【０００９】
【課題を解決するための手段】
上記目的を達成するために、本発明のカメラケース装置は、ベアリングと、前記ベアリングの内輪を貫通し、上面にカメラが取り付けられる収容台と、前記収容台の両端部が固定される支持台と、前記ベアリングの外輪に固着され、前記カメラが取り付けられた収容台を内部に収容し、前記ベアリングの内輪を固定軸として回転可能な外板とを具備することを特徴とする。
【００１０】
【発明の実施の形態】
以下、図面を参照して本発明の実施の形態を説明する。
【００１１】
図１は、本発明が適用されるカメラシステムの主要構成要素のブロック図である。
【００１２】
カメラシステムは、カメラＣがカメラケース１に収容されたものであって、カメラＣは、テレビカメラであっても写真撮影カメラのいずれであっても良い。そして、カメラケース１には、映像信号やリモートコントロール用のケーブルが配線されているが、写真撮影用等ではケーブルが引き出されていない場合もある。また、このカメラＣからの映像情報をモニタするモニタ装置Ｍ、およびカメラＣやカメラ雲台（図示せず）のリモートコントロールおよびモニタＭＭ等を制御する制御装置Ｓもカメラシステムに含まれる。
【００１３】
図２〜図４は、本発明のカメラケース装置に係る実施の形態の構造を示す図である。この内、図２および図３は第１の実施の形態であり、図４は第２の実施の形態を示す図である。
【００１４】
図２〜図４においてカメラケース１は、ベアリング１０、収容台２、外板３、窓４ガラス、取付板５、支持台６、裏蓋７から構成され、支持台６はさらに架台もしくは建築構造物等に固定される。
【００１５】
ベアリング１０は、同心円状に組み立てられた内輪１１と外輪１２からなり、このカメラケースの場合では内輪１１が固定軸となり、その周囲を外輪１１が回転する構造物となっている。内輪１１と外輪１２との間は摩擦が少ない構造であり、例えば、球、コロ、潤滑剤、表面処理が施されている。
【００１６】
このベアリング１０の内輪１１には上面にカメラＣが取り付けられた収容台２が固着して取り付けられており、また、ベアリングの外輪１２にはカメラケース１の外板３が固着して取り付けられる。
【００１７】
外板３は、円筒状の形状を有する部材からなり、内部に収容台２およびカメラＣ等を収容するために、ベアリング１０の外輪１２に固着され取り付けられることにより円筒状の横向きのケースが形成される。そして、外板３は外輪１２と共に内輪１１が固定軸となって自由に回転する。なお、この外輪１２と外板３とは一体の構造物であってもよい。
【００１８】
カメラＣは、収容台２に固定され、カメラＣの前方に形成された窓ガラス４を通して外部を撮影する。
【００１９】
収容台２は、ベアリング１０の内輪１１の内側を貫通して固着され、その収容台２の両端部は取付板５を介して支持台６に固定されている。なお、収容台２と取付板５を一体形成して、支持台６に固定しても良い。また、この収容台２と内輪１１は、一体構造であってもよい。
【００２０】
取付板５は、収容台２を支持台６に固定するものであって、ベアリング１０の外輪１２、および外輪１２に取付られた外板３等に接触しないよう、例えば、Ｌ字状の形状をしている。取付板５は、支持台６に支柱状に取付けられ、更に横方向へ腕木状に向け折り曲げられて延長されている。その腕木状の部分は、ベアリング１０の外輪１２に取付けられた外板３が回転しても接触しない形状となっている。そして、取付板５の延長された先端は、収容台２が取り付けられている。
【００２１】
したがって、カメラケース１は、カメラＣを取り付けられた収容台２が支持台６に固定され、これらカメラＣと収容台２を収容する外板３が、ベアリング１の外輪１２と共に回転する構造となっている。
【００２２】
裏蓋７は、外板３、窓ガラス４と共にカメラＣ等の収容物を保護するもので、カメラ２の後方の収容台２に取付けられる。
【００２３】
なお、支持台６は、カメラケース１を建物、支柱等に取り付けるための支持固定具であって取付板５を兼ねるものであってもよい。また、取付板５は、収容台２と一体化された構造であってもよい。
【００２４】
図３は、外板３の他の形状を示すもので、２枚の半円筒状の形状をなす部材をベアリング１の外輪１２に取り付けることにより円筒状の横向きのカメラケース１を形成する構造としている。なお、外板３の形状は、円筒形に限ることなく、多角形の箱状の筒であってもよい。
【００２５】
図４は、本発明の第２の実施の形態を示す図である。この第２の実施の形態では、ベアリング１０を複数個設けた構造としている。図４では、円筒状の外板３の前端部と後端部の２個所にベアリングを設ける構造とし、同様にベアリング１０、１０の外輪に外板３が固着され取り付けられる。
【００２６】
上記実施の形態のカメラケース装置によれば、ベアリング１０の外輪に外板３が取り付けられていることから、降雪が外板３に積雪するにつれ、風等の影響で外板３に雪の自重が非平衡にかかるようになるので、外板３のみが回転し、積雪がカメラケース１から落下することから、カメラケース１を破損する恐れがなくなる。
【００２７】
したがって、本発明では、融雪用のヒータを用いることなく、カメラケース１に積雪することを防ぐことができる。
【００２８】
また、この様なカメラケース１では、融雪用ヒータの電源配線が不要なため、外部とケーブル接続を行わないで写真撮影用のカメラＣではカメラ自体が内蔵する電池によりセルフタイマ機能等の自動撮影が可能になる。
【００２９】
また、本発明のカメラケース装置は、鳥がカメラケース１に飛来しても、鳥が外板３に留まると外板３が回転するので、鳥の滞留を防ぎ、糞等による汚れを防止する効果もある。
【００３０】
【発明の効果】
以上述べたように、本発明によれば、カメラケース装置の外板をベアリングの外輪に取付けて、支持台に固定された内輪の円周方向に自由に回転させている。そして、外板に積雪があっても雪の自重により外板が回転して付着した積雪が落ちるので、ヒータを用いることなくカメラケースに積雪することが防げる。
【００３１】
また、外板に鳥が飛来しても同様に外板が回転するので滞留できないようにすることができ、糞等でカメラケースが汚れることもなくなる。
【図面の簡単な説明】
【図１】本発明によるカメラシステムの主要構成のブロック図。
【図２】本発明によるカメラケース装置の構造図の一例。
【図３】本発明によるカメラケース装置の構造図の第２の例。
【図４】本発明によるカメラケース装置の構造図の第３の例。
【図５】従来のカメラシステムの機能ブロック図。
【符号の説明】
１  カメラケース
１０  ベアリング
１１  内輪
１２  外輪
２  収容台
３  外板
４  窓ガラス
５  取付板
６  支持台
７  裏蓋
Ｃ  カメラ
Ｍ  モニタ
Ｓ  制御装置
【図１】
2004297474.tif 000003
【図２】
2004297474.tif 000004
【図３】
2004297474.tif 000005
【図４】
2004297474.tif 000006
【図５】
2004297474.tif 000007